(57)【要約】【課題】スジを検出する際に使用するメモリを大幅に削減することができる画像読取装置を提供する。【解決手段】画像読取装置は、原稿のＢＷ（黒色）、Ｒ（赤色）、Ｇ（緑色）、Ｂ（青色）の画像情報を読み取る読取手段１２６と、読取手段によって読み取られたＢＷ画像データより副走査方向に連続する細線を検出する第１の細線検出手段２０９とを備える。また、読取手段によって読み取られたＢ画像データより副走査方向に連続する細線を検出する第２の細線検出手段２１０と、読取手段によって読み取られたＧ画像データより副走査方向に連続する細線を検出する第３の細線検出手段２１１とを備える。また、読取手段によって読み取られたＲ画像データより副走査方向に連続する細線を検出する第４の細線検出手段２１２を備える。また、第１、第２、第３、第４の細線検出手段の主走査方向における同一部分の検出結果を比較することで、読取手段によって読み取られた画像データの副走査方向に連続なスジを検出するスジ検出手段２１３を備える。【選択図】図２
2008288696.tif 000002
【特許請求の範囲】
【請求項１】
原稿のＢＷ（黒色）、Ｒ（赤色）、Ｇ（緑色）、Ｂ（青色）の画像情報を読み取る読取手段と、
前記読取手段によって読み取られたＢＷ画像データより副走査方向に連続する細線を検出する第１の細線検出手段と、
前記読取手段によって読み取られたＢ画像データより副走査方向に連続する細線を検出する第２の細線検出手段と、
前記読取手段によって読み取られたＧ画像データより副走査方向に連続する細線を検出する第３の細線検出手段と、
前記読取手段によって読み取られたＲ画像データより副走査方向に連続する細線を検出する第４の細線検出手段と、
前記第１、第２、第３、第４の細線検出手段の検出結果に応じて、前記読取手段によって読み取られた画像データの副走査方向に連続なスジを検出するスジ検出手段と、
を備えることを特徴とする画像読取装置。
【請求項２】
前記スジ検出手段の検出結果に基づいて、前記読取手段から出力される読取画像データを補正するスジ補正手段を備えることを特徴とする請求項１記載の画像読取装置。
【請求項３】
前記スジ検出手段は、前記第１、第２、第３、第４の細線検出手段の主走査方向における同一部分の検出結果を比較することで、前記読取手段によって読み取られた画像データの副走査方向に連続なスジを検出することを特徴とする請求項１記載の画像読取装置。
【発明の詳細な説明】
【技術分野】
【０００１】
本発明は、原稿に記録された画像情報を読み取る画像読取装置に関する。
【背景技術】
【０００２】
従来、複写機、複合機等に使用される画像読取装置には、いわゆる流し読みモードを有するものが知られている（例えば、特許文献１参照）。
【０００３】
流し読みモードでは、原稿搬送装置（自動原稿給送装置）により、原稿を１ページずつ原稿台ガラス上に搬送し、その原稿台ガラス下方に固定された露光装置により搬送中の原稿を露光して画像を読み取る。
【０００４】
後述する図１に示す画像読取装置は、装置本体１１５の上部に自動原稿給送装置１００を搭載し、上記の流し読みモードを有する。
【０００５】
図５は、図１におけるＣＣＤラインセンサの基本構成を示す図である。
【０００６】
ＣＣＤラインセンサ（４ラインＣＣＤ）１２６は、ＢＷ（黒色）、Ｂ（青色）、Ｇ（緑色）、Ｒ（赤色）の各分光感度特性を持つ４本の直線状の画素列としてのセンサから構成されている。
【０００７】
４本のセンサは、ＢＷセンサ５０１、Ｂセンサ５０２、Ｇセンサ５０３、Ｒセンサ５０４の順に配列されており、各々のある一定の間隔を持って互いに平行に配置されている。例えば、ＢＷセンサ５０１、Ｂセンサ５０２間は６ライン分の間隔（５５．９５μｍ）を以って配列されており、Ｂセンサ５０２、Ｇセンサ５０３、Ｒセンサ５０４は各々２ライン分の間隔（１８．６５μｍ）を以って配列されている。
【０００８】
図６は、図１の画像読取装置における流し読みモードの動作時に、流し読みガラスにごみが付着する様子を示す図である。図７は、流し読みガラスにおけるごみの位置と画像レベル及び黒スジとの関係を示す図である。
【０００９】
図６、図７（ａ）に示すように、流し読みガラス１１６上にごみ６０１が付着した場合、原稿１０２とともにごみ６０１を読み取ってしまうことになる。明るい原稿１０２を読み取った場合、図７（ｂ）に示すように、ごみ６０１に対応する位置で画像レベルが周囲に対し低下してしまう。また同様に、暗い原稿１０２を読み取った場合、ごみ６０１に対応する位置で画像レベルが周囲に対し増加してしまう現象が起こる。
【００１０】
流し読みの際は読み取り位置が固定のため、形成されるため画像には、図７（ｃ）に示すように副走査方向に連続する画像不良部（以下スジと称する）が発生してしまう。
【００１１】
ＣＣＤラインセンサ１２６の各センサ（ＢＷ、Ｂ、Ｇ、Ｒ）は、前述の通り、各々間隔を持って配置されているため、流し読みモードの場合には、図８に示すように各色の読取位置は原稿１０２の進行方向にずれが生じてしまう。
【００１２】
例えば、ＢＷセンサ、Ｂセンサ間が６ライン分の間隔（５５．９５μｍ）、Ｂセンサ、Ｇセンサ、Ｒセンサは各々２ライン分の間隔（１８．６５μｍ）で配列されている場合、ＢＷセンサの読取位置とＢセンサの読取位置は２５４μｍずれている。また、Ｂセンサの読取位置、Ｇセンサの読取位置、Ｒセンサの読取位置は各々８４．６７μｍずれている。
【００１３】
そのため、小さなごみが原因となるスジは、ＢＷセンサとカラーセンサ（Ｂセンサ、Ｇセンサ、Ｒセンサ）の両方に読み取られることはなく、同一のごみが原因となるスジがＢＷ画像とカラー画像に現れることはない。
【００１４】
このことを利用し、以下のようにスジを検出する技術が例えば、特許文献２に提案されている。
【００１５】
即ち、各色の読取データに対して各々のライン間隔分の遅延処理を行うことで各センサの読取データ間のずれを修正する。そして、原稿の同一場所のＢＷサンサで読取を行ったモノクロデータと、カラーセンサで読み取ったデータを合成（演算）したモノクロデータとを比較することでスジを検出する。上記スジの検出はＣＩＳラインセンサでも実行可能である。
【特許文献１】特開２００１−２８５５９５号公報
【特許文献２】特開２００２−２７１６３１号公報
【発明の開示】
【発明が解決しようとする課題】
【００１６】
ＢＷセンサは、カラーセンサのようにカラーフィルタが必要ないため、一般的にカラーセンサより感度が高く、同一光源で画像読み取りを行う際は、高速で読み取りを行っても画質劣化が少ない点がある。
【００１７】
よって、上記のような４ラインＣＣＤラインセンサでは、ＢＷ読み取りを指定された場合と、カラー読み取りを指定された場合とで、センサ感度に合わせて読取速度を変更し、各読み取りモードで最高の生産性を出せるように制御することが一般的である。
【００１８】
しかしながら、センサ感度に合わせて読取速度を変更すると、例えば、ＢＷセンサの読取速度の限界値と、カラーセンサの読取速度の限界値は同一にならない問題点がある。
【００１９】
上記従来の構成では、ＢＷセンサの読取速度（データ転送速度）とカラーセンサの読取速度（データ転送速度）が同一の場合に限り、スジの検出をすることが可能であり、ＢＷセンサの読取速度（データ転送速度）とカラーセンサの読取速度（データ転送速度）が異なる場合にはスジの検出ができない問題点があった。
【００２０】
即ち、従来の構成では、ＢＷサンサで読取を行ったモノクロデータとカラーセンサで読み取ったデータを合成し、スジの検出を行っているため、各センサの読取位置のずれを修正する必要がある。
【００２１】
しかし、各色の読取位置のずれを修正するためには遅延処理が必要であり、多量のラインメモリが必要となり、従来構成の４ラインＣＣＤラインセンサをＡＳＩＣ等を用いて実現する場合、大幅なコストアップ要因になってしまう。
【００２２】
本発明の目的は、スジを検出する際に使用するメモリを大幅に削減することができる画像読取装置を提供することにある。
【課題を解決するための手段】
【００２３】
上記目的を達成するために、請求項１記載の画像読取装置は、原稿のＢＷ（黒色）、Ｒ（赤色）、Ｇ（緑色）、Ｂ（青色）の画像情報を読み取る読取手段と、前記読取手段によって読み取られたＢＷ画像データより副走査方向に連続する細線を検出する第１の細線検出手段と、前記読取手段によって読み取られたＢ画像データより副走査方向に連続する細線を検出する第２の細線検出手段と、前記読取手段によって読み取られたＧ画像データより副走査方向に連続する細線を検出する第３の細線検出手段と、前記読取手段によって読み取られたＲ画像データより副走査方向に連続する細線を検出する第４の細線検出手段と、前記第１、第２、第３、第４の細線検出手段の検出結果に応じて、前記読取手段によって読み取られた画像データの副走査方向に連続なスジを検出するスジ検出手段とを備えることを特徴とする。
【発明の効果】
【００２４】
本発明によれば、スジを検出する際に使用するメモリを大幅に削減することができる。
【発明を実施するための最良の形態】
【００２５】
以下、本発明の実施の形態を図面を参照しながら詳細に説明する。
【００２６】
図１は、本発明の実施の形態に係る画像読取装置の構成図である。
【００２７】
図１において、本画像読取装置は、自動原稿給送装置１００と、この自動原稿給送装置１００を搭載する装置本体（画像読取装置本体）１１５とから構成される。
【００２８】
以下、その構成を動作と併せて説明する。
【００２９】
自動原稿給送装置１００の原稿トレイ１０１は原稿１０２を積載する。原稿トレイ１０１の上方には、給紙ローラ１０３が設けられている。給紙ローラ１０３は、分離搬送ローラ１０４と同一駆動源に接続され、その回転に連れて回転し、原稿１０２を給紙する。
【００３０】
給紙ローラ１０３は、通常、ホームポジションである上方の位置に退避しており、原稿１０２のセット作業を阻害しないようになっている。給紙動作が開始されると、給紙ローラ１０３は、下降して原稿１０２の上面に当接する。給紙ローラ１０３は、図示しないアームに軸支されているので、アームが揺動することにより上下に移動する。
【００３１】
分離搬送従動ローラ１０５は、分離搬送ローラ１０４の対向側に配置されており、分離搬送ローラ１０４側に押圧されている。分離搬送従動ローラ１０５は、分離搬送ローラ１０４より僅かに摩擦が少ないゴム材等から形成されており、分離搬送ローラ１０４と協働して、給紙ローラ１０３によって給紙される原稿１０２を１枚ずつ捌いて給紙する。
【００３２】
レジストローラ１０６及びレジスト従動ローラ１０７は、分離部で給紙された原稿の先端を揃えるものであり、静止したレジストローラ対のニップ部に向けて分離した原稿の先端を突き当て、原稿にループを生じさせてその先端を揃える。尚、レジストローラ対はレジストローラ１０６及びレジスト従動ローラ１０７によって構成される。
【００３３】
そして、リードローラ１０８及びリード従動ローラ１０９は、原稿を流し読みガラス１１６に向けて搬送する。流し読みガラス１１６の対向側には、プラテンローラ１１０が配置されている。
【００３４】
流し読みガラス１１６上を通過する原稿１０２の画像情報をＣＣＤラインセンサ１２６にて読み取る。ＣＣＤラインセンサ１２６での原稿１０２の画像読み取りが終了すると、リード排出ローラ１１１及びリード排出従動ローラ１１２は、原稿１０２を排紙ローラ１１３に搬送する。ジャンプ台１１７は、流し読みガラス１１６からシートをすくい上げるためのものである。排紙ローラ１１３は原稿１０２を排紙トレイ１１４に排出する。
【００３５】
装置本体１１５は、流し読みガラス１１６、ジャンプ台１１７、原稿台ガラス１１８、読み取り原稿面に対して光を照射するランプ１１９、及び原稿１０２からの反射光をレンズ１２５及びＣＣＤラインセンサ１２６に導くミラー１２０、１２１、１２２を有する。
【００３６】
ランプ１１９及びミラー１２０は、第１ミラー台１２３に取り付けられている。また、ミラー１２１、１２２は、第２ミラー台１２４に取り付けられている。
【００３７】
ミラー台１２３、１２４は、ワイヤ（図示せず）によって駆動モータ（図示せず）と結合され、駆動モータの回転駆動により原稿台ガラス１１８と平行に移動する。原稿１０２からの反射光は、ミラー１２０、１２１、１２２を介してレンズ１２５に導かれ、レンズ１２５によってＣＣＤラインセンサ１２６の受光部に結像される。ＣＣＤラインセンサ１２６は、結像した反射光を受光素子で光電変換し、入射光量に応じた電気信号を出力する。
【００３８】
上記構成を有する画像読取装置では、２つの原稿読み取りモードがある。
【００３９】
１つは、原稿１０２を原稿台ガラス１１８上に載置し、第１ミラー台１２３及び第２ミラー台１２４を移動させながら原稿を読み取る原稿固定読み取りモードである。もう１つは、第１ミラー台１２３及び第２ミラー台１２４を停止させた状態で、自動原稿給送装置１００によって原稿１０２を搬送しながら、流し読みガラス１１６位置で読み取る流し読みモードである。
【００４０】
図２は、本発明の実施の形態に係る画像読取装置の機能ブロック図である。
【００４１】
以下、その構成を動作と併せて説明する。
【００４２】
ＣＣＤラインセンサ１２６より読取原稿の濃度に応じたＢＷ、Ｂ、Ｇ、Ｒ各色のアナログ電気信号が出力される。Ａ／Ｄ変換回路２０１、２０２、２０３、２０４により各色のアナログ電気信号は各々デジタル画像信号に変換され、シェーディング補正回路２０５、２０６、２０７、２０８により光量の不均一性が補正される。その後、各色の画像データは、細線検出回路２０９、２１０、２１１、２１２に入力され、各々の画像データから副走査方向に連続な細線を検出する。
【００４３】
ここで、ＣＣＤラインセンサ１２６は、原稿のＢＷ（黒色）、Ｒ（赤色）、Ｇ（緑色）、Ｂ（青色）の画像情報を読み取る読取手段として機能する。また、細線検出回路２０９は第１の細線検出手段、細線検出回路２１０は第２の細線検出手段、細線検出回路２１１は第３の細線検出手段、細線検出回路２１２は第４の細線検出手段を構成する。
【００４４】
次に、細線検出回路２０９乃至２１２の詳細な説明を行う。
【００４５】
図３は、図２における細線検出回路のブロック図である。
【００４６】
シェーディング補正回路２０５乃至２０８により光量の不均一性を補正された画像データに対して、明暗エッジ検出回路３０１にて明暗エッジを検出し、暗明エッジ検出回路３０２にて暗明エッジを検出する。
【００４７】
明暗エッジ検出回路３０１は、画像データが主走査方向に急激に減少する明暗エッジを検出した際に、明暗エッジを検出した旨の信号を、後段のエッジ間隔検出回路３０３に出力する。
【００４８】
本実施の形態では、明暗エッジを検出する構成として、画像データに５×１フィルタを施し、その結果から明暗エッジを検出する構成を採用する。フィルタの係数は、原稿の状態により最適な値に設定する。
【００４９】
暗明エッジ検出回路３０２は、画像データが主走査方向に急激に増加する暗明エッジを検出した際に、暗明エッジを検出した旨の信号を、後段のエッジ間隔検出回路３０３に出力する。
【００５０】
本実施の形態では、暗明エッジを検出する構成として、画像データに５×１フィルタを施し、その結果から暗明エッジを検出する構成を採用する。フィルタの係数は、原稿の状態により最適な値に設定する。
【００５１】
エッジ間隔検出回路３０３は、明暗エッジ検出回路３０１及び暗明エッジ検出回路３０２から明暗エッジを検出した旨の信号及び暗明エッジを検出した旨の信号を受け取る。
【００５２】
そして、エッジ間隔検出回路３０３は、主走査方向に暗明エッジと明暗エッジが近接していた場合（例えば５画素以内）に、後段の副走査連続性検出回路３０４に対して画像データの山を検出した旨の信号を出力する。図４（ａ）にその様子を示す。
【００５３】
また、エッジ間隔検出回路３０３は、主走査方向に明暗エッジと暗明エッジが近接していた場合（例えば５画素以内）に、後段の副走査連続性検出回路３０４に対して画像データの谷を検出した旨の信号を出力する。図４（ｂ）にその様子を示す。
【００５４】
副走査連続性検出回路３０４は、エッジ間隔検出回路３０３から画像データの山を検出した旨の信号もしくは画像データの谷を検出した旨の信号を受け取る。
【００５５】
そして、副走査連続性検出回路３０４は、画像データの山を検出した旨の信号が副走査方向に所定ライン（例えば１０ライン）以上連続した場合に、白細線を検出した旨の信号を出力する。
【００５６】
また、副走査連続性検出回路３０４は、画像データの谷を検出した旨の信号が副走査方向に所定ライン（例えば１０ライン）以上連続した場合に、黒細線を検出した旨の信号を出力する。
【００５７】
以上の細線検出の処理を、細線検出回路２０９、２１０、２１１、２１２によりＢＷ（黒色）、Ｒ（赤色）、Ｇ（緑色）、Ｂ（青色）各色独立して行い、ＢＷ（黒色）、Ｒ（赤色）、Ｇ（緑色）、Ｂ（青色）の画像データの細線を検出する。
【００５８】
前述の通り、ＣＣＤラインセンサ１２６の各色の画像読取位置は、原稿の進行方向に対しずれがあるため、各色のセンサから出力される各色の画像データは原稿の同一副走査位置の画像データではない。
【００５９】
即ち、各色のセンサの配置間隔分（例えばＢＷセンサ５０１、Ｂセンサ５０２間は６ライン分の間隔、Ｂセンサ５０２、Ｇセンサ５０３、Ｒセンサ５０４は各々２ライン分の間隔）副走査方向にずれた画像データが出力されている。よって、細線の検出結果も各色で副走査方向に各色センサのライン間隔分のずれたものになる。
【００６０】
しかしながら、スジは、副走査方向に連続的であり、出現する副走査ライン幅も各色センサのライン間隔分のずれに対して十分に大きいため、主走査方向が同一のデータであれば副走査方向にずれた結果を直接比較してもスジを検出することができる。
【００６１】
そこで、スジ検出回路（スジ検出手段）２１３では、細線検出回路２０９、２１０、２１１、２１２から出力されたＢＷ（黒色）、Ｒ（赤色）、Ｇ（緑色）、Ｂ（青色）の細線検出結果の関係を判断し、スジを検出する。
【００６２】
即ち、第１の細線検出手段としての細線検出回路２０９は、読取手段としてのＣＣＤラインセンサ１２６によって読み取られたＢＷ画像データより副走査方向に連続する細線を検出する。第２の細線検出手段としての細線検出回路２１０は、読取手段としてのＣＣＤラインセンサ１２６によって読み取られたＢ画像データより副走査方向に連続する細線を検出する。第３の細線検出手段としての細線検出回路２１１は、読取手段としてのＣＣＤラインセンサ１２６によって読み取られたＧ画像データより副走査方向に連続する細線を検出する。第４の細線検出手段としての細線検出回路２１２は、読取手段としてのＣＣＤラインセンサ１２６によって読み取られたＲ画像データより副走査方向に連続する細線を検出する。
【００６３】
そして、スジ検出手段としてのスジ検出回路２１３は、第１、第２、第３、第４の細線検出手段の主走査方向における同一部分の検出結果を比較することで、読取手段によって読み取られた画像データの副走査方向に連続なスジを検出する。
【００６４】
スジ検出回路２１３の詳細を説明する。
【００６５】
前段の細線検出回路２０９、２１０、２１１、２１２は、副走査方向に連続な細線を検出しているため、スジに加えて原稿の細線も検出をしている。よって、スジ検出回路２１３では、細線の中からスジのみを検出する構成が必要となる。そこで、各センサの分光感度を利用してスジと原稿の縦線の切り分けを行う。
【００６６】
Ｒセンサ５０４は赤の分光感度特性を持っており、Ｇセンサ５０３は緑の分光感度特性を持っており、Ｂセンサ５０２は青の分光感度特性を持っている。それに対しＢＷセンサ５０１は赤、緑、青の全ての分光感度特性を持っている。
【００６７】
そのため、原稿１０２の細線を読み取った場合は、ＢＷセンサ５０１に加え、少なくともＲセンサ５０４、Ｇセンサ５０３、Ｂセンサ５０２のいずれか１つのセンサで細線を読み取ることができる。
【００６８】
それに対し、スジを読み取った場合は、前述の通り、同一のごみ６０１が原因となるスジがＢＷ画像とカラー画像に現れることはないため、ＢＷセンサ５０１のみに細線が現れる、もしくはカラーセンサ（Ｒ、Ｇ、Ｂ）のみに細線が現れる。
【００６９】
スジ検出回路２１３では、下記論理が正となる場合に該当主走査位置にごみ６０１が存在すると判断する。
（Ａ［０］ ≠  （Ｂ［０］ ｏｒ Ｃ［０］ ｏｒ Ｄ［０］））  ｏｒ  （Ａ［１］ ≠  （Ｂ［１］  ｏｒ Ｃ［１］ ｏｒ Ｄ［１］））
但し
Ａ［０］  ：  ＢＷセンサで白細線を検出した旨の信号（白細線を検出した場合に正）
Ｂ［０］  ：  Ｒセンサで白細線を検出した旨の信号（白細線を検出した場合に正）
Ｃ［０］  ：  Ｇセンサで白細線を検出した旨の信号（白細線を検出した場合に正）
Ｄ［０］  ：  Ｂセンサで白細線を検出した旨の信号（白細線を検出した場合に正）
Ａ［１］  ：  ＢＷセンサで黒細線を検出した旨の信号（黒細線を検出した場合に正）
Ｂ［１］  ：  Ｒセンサで黒細線を検出した旨の信号（黒細線を検出した場合に正）
Ｃ［１］  ：  Ｇセンサで黒細線を検出した旨の信号（黒細線を検出した場合に正）
Ｄ［１］  ：  Ｂセンサで黒細線を検出した旨の信号（黒細線を検出した場合に正）
とする。
【００７０】
さらに、上記判断のみでスジの検出を行うと、各色センサのライン間隔分のずれや突発的なノイズやばらつきが原因となり誤検出を起こすため、この不一致箇所が同一主走査位置で副走査方向に複数ライン（例えば３０ライン）連続した場合に、スジを検出した旨の信号を後段のスジ補正回路２１４に出力する。
【００７１】
スジ検出回路２１３からスジを検出した旨の信号を受け取ったスジ補正回路（スジ補正手段）２１４は、各色の画像データの該当箇所を補正する処理を行う。
【００７２】
即ち、スジ補正手段としてのスジ補正回路２１４は、スジ検出手段としてのスジ回路検出２１３の検出結果に基づいて、読取手段としてのＣＣＤラインセンサ１２６から出力される読取画像データを補正する。
【００７３】
本実施の形態でのスジ補正回路２１４は、スジ部分の画素をスジの周囲の画素のデータから線形補間で求め補間する構成を取る。
【図面の簡単な説明】
【００７４】
【図１】本発明の実施の形態に係る画像読取装置の構成図である。
【図２】本発明の実施の形態に係る画像読取装置の機能ブロック図である。
【図３】図２における細線検出回路のブロック図である。
【図４】図３におけるエッジ間隔検出回路の説明図である。
【図５】図１における４ラインのＣＣＤラインセンサの基本構成を示す図である。
【図６】図１の画像読取装置における流し読みモードの動作時に、流し読みガラスにごみが付着する様子を示す図である。
【図７】図１における流し読みガラス上のごみの位置と画像レベル及び黒スジとの関係を示す図である。
【図８】図１における４ラインのＣＣＤラインセンサの読取位置を示す図である。
【符号の説明】
【００７５】
１００  自動原稿給送装置
１０１  原稿トレイ
１０２  原稿
１０３  給紙ローラ
１０４  分離搬送ローラ
１０５  分離搬送従動ローラ
１０６  レジストローラ
１０７  レジスト従動ローラ
１０８  リードローラ
１０９  リード従動ローラ
１１０  プラテンローラ
１１１  リード排出ローラ
１１２  リード排出従動ローラ
１１３  排紙ローラ
１１４  排紙トレイ
１１５  装置本体
１１６  流し読みガラス
１１７  ジャンプ台
１１８  原稿台ガラス
１１９  ランプ
１２０  ミラー
１２１  ミラー
１２２  ミラー
１２３  第１ミラー台
１２４  第２ミラー台
１２５  レンズ
１２６  ＣＣＤラインセンサ
２０１  Ａ／Ｄ変換回路
２０２  Ａ／Ｄ変換回路
２０３  Ａ／Ｄ変換回路
２０４  Ａ／Ｄ変換回路
２０５  シェーディング補正回路
２０６  シェーディング補正回路
２０７  シェーディング補正回路
２０８  シェーディング補正回路
２０９  細線検出回路
２１０  細線検出回路
２１１  細線検出回路
２１２  細線検出回路
２１３  スジ検出回路
２１４  スジ補正回路
３０１  明暗エッジ検出回路
３０２  暗明エッジ検出回路
３０３  エッジ間隔検出回路
３０４  副走査連続性検出回路
５０１  ＢＷセンサ
５０２  Ｂセンサ
５０３  Ｇセンサ
５０４  Ｒセンサ
６０１  ごみ
【図１】
2008288696.tif 000003
【図２】
2008288696.tif 000004
【図３】
2008288696.tif 000005
【図４】
2008288696.tif 000006
【図５】
2008288696.tif 000007
【図６】
2008288696.tif 000008
【図７】
2008288696.tif 000009
【図８】
2008288696.tif 000010